(57)【要約】【課題】従来技術において予約視聴の開始タイミングがユーザに通知されたとしても、その視聴開始される番組がどのようなものなのかまでは分からない、という課題がある。つまり、例えば何の番組を視聴予約したかすら忘れていた場合ユーザはその視聴予約された番組の内容が分からない。そのため、予約視聴を実行しその予約された番組を見ることにするのか、それとも予約視聴を取り消して現在視聴している番組を見続けるか、の判断をすることなどができない。【解決手段】以上の課題解決のため、本発明は視聴予約の開始をユーザに通知する際に、例えば視聴予約された番組が映画であれば当該映画配給会社のテーマソングなど、その番組の内容を示すような画像や音声を出力する機能を有することを特徴とし、そのために通知用の画像データや音声データを番組ＩＤと関連付けて管理する構成を備えるＡＶ装置を提供する。【選択図】図２
2011103525.tif 000002
【特許請求の範囲】
【請求項１】
番組の視聴予約のための情報であって、番組または／及び番組の属性を識別するために利用される番組ＩＤを含む情報である視聴予約情報を取得する視聴予約情報取得部と、
前記番組ＩＤと関連付けられ、前記視聴予約情報で特定される番組の内容を識別可能な画像又は／及び音声を構成するための通知用データを取得するための通知用データ取得部と、
視聴予約された番組の出力である予約実行に先立って、予約実行の対象となる番組に関連付けて前記通知用データ取得部にて取得された通知用データによって構成される画像または／及び音声である通知を出力するための通知出力部と、
を有するＡＶ装置。
【請求項２】
電子番組表情報を取得する電子番組表情報取得部をさらに有し、
前記通知用データ取得部は、通知用データを、前記取得した電子番組表情報から取得する第一電子番組表情報取得手段をさらに有する請求項１に記載のＡＶ装置。
【請求項３】
前記視聴予約情報取得部は、前記番組または／及び番組の属性を識別するために利用される番組ＩＤを、前記取得した電子番組表情報から取得する第二電子番組表情報取得手段を有する請求項２に記載のＡＶ装置。
【請求項４】
番組ＩＤと関連付けられ、前記視聴予約情報で特定される番組の内容を識別可能な画像又は／及び音声を構成するための通知用データを保持し、前記通知用データ取得部に対して通知用データを出力可能な可搬型記憶装置と、
請求項１から３のいずれか一に記載のＡＶ装置と、からなるＡＶシステム。
【請求項５】
番組ＩＤと関連付けられ、前記視聴予約情報で特定される番組の内容を識別可能な画像又は／及び音声を構成するための通知用データを保持し、前記通知用データ取得部に対して通知用データを出力可能なサーバ装置と、
請求項１から３のいずれか一に記載のＡＶ装置と、からなるＡＶシステム。
【発明の詳細な説明】
【技術分野】
【０００１】
本発明は、視聴予約に基づく番組表示の開始を視聴者に通知するための技術に関する。
【背景技術】
【０００２】
従来のテレビ受像機には、ユーザが所望の番組を見逃さずに視聴することができるように、いわゆる「視聴予約」と呼ばれる機能を備えるものがある。この視聴予約機能は、例えばユーザが電子番組表などを利用して所望の番組の視聴を予約指定しておくと、その予約された番組の放送開始時刻に（スタンバイ状態であれば自動的に起動するとともに）該当チャンネルへの切替動作がなされることで、ディスプレイに予約された番組が表示され視聴可能となるといった機能である。しかし視聴予約では、該当チャンネルへの切替動作が実行される時点と、ユーザによる視聴予約が行われる時点との間に時間的な隔たりがある。そのためチャンネル切替えによる番組の表示開始時にはその視聴予約の登録そのものをユーザが忘れていることなども考えられ、その場合ユーザにとっては自分の意図に無い動作が勝手に実行されている、との誤解を生じさせる可能性もある。
【０００３】
そこで視聴予約動作の開始直前に、例えば「これから視聴予約された番組の表示を開始します」などのメッセージをディスプレイに出力する機能なども実装されている。また下記特許文献１には、視聴予約ではなく録画予約に関してのものではあるが、録画予約時における上記同様の問題を解決するため、予約録画動作の実行時にＰＩＰ（ピクチャー・イン・ピクチャー）回路を利用してディスプレイ上に予約された録画動作実行開始のカウントダウン情報などを子画面に表示させる技術などが開示されている。
【先行技術文献】
【特許文献】
【０００４】
【特許文献１】特開平０４−３３４１８０号公報
【発明の概要】
【発明が解決しようとする課題】
【０００５】
しかし、上記従来の技術において視聴予約された番組の表示開始タイミングがユーザに通知されたとしても、その開始される番組がどのようなものなのかまでは分からない、という課題がある。つまり、例えば何の番組を視聴予約したかすら忘れていた場合、「これから視聴予約された番組の表示を開始します」とのメッセージやカウントダウンなどが表示されたとしても、ユーザはその視聴予約された番組の内容が分からない。そのため、視聴予約された番組への自動チャンネル切替を実行しその予約された番組を見ることにするのか、それとも視聴予約を取り消して現在視聴している番組を見続けるか、の判断をすることなどができない。
【課題を解決するための手段】
【０００６】
以上の課題を解決するために、本発明は視聴予約された番組の表示開始をユーザに通知する際に、例えば視聴予約された番組が映画であれば当該映画配給会社のテーマソングやテーマ映像など、その番組の内容を示すような画像や音声を出力する機能を有することを特徴とし、そのために通知用の画像データや音声データを番組ＩＤと関連付けて管理する構成を備えるＡＶ装置を提供する。具体的には、番組の視聴予約のための情報であって、番組または／及び番組の属性を識別するために利用される番組ＩＤを含む情報である視聴予約情報を取得する視聴予約情報取得部と、前記番組ＩＤと関連付けられ、前記視聴予約情報で特定される番組の内容を識別可能な画像又は／及び音声を構成するための通知用データを取得するための通知用データ取得部と、視聴予約された番組の出力である予約実行に先立って、予約実行の対象となる番組に関連付けて前記通知用データ取得部にて取得された通知用データによって構成される画像または／及び音声である通知を出力するための通知出力部と、を有するＡＶ装置を提供する。
【０００７】
また、電子番組表を利用して、視聴予約された番組の内容を示すような通知用データを取得する機能を備えるＡＶ装置や、あるいは通知用データと関連付けて管理される番組ＩＤを、やはり電子番組表を利用して取得する機能を備えるＡＶ装置も提供する。また、上記のようなＡＶ装置に加えて、通知用データをフラッシュメモリなどの外部の可搬型記憶装置や、ネットワーク上のサーバ装置などから取得するＡＶシステムも提供する。
【発明の効果】
【０００８】
以上のような構成をとる本発明によって、視聴予約された番組について、その番組ＩＤと関連付けて管理されている画像や音声（例えば番組が映画であれば当該映画配給会社のテーマソングやテーマ映像など）を視聴予約動作の開始時などに出力し、視聴予約された番組の内容が分かるような形でその視聴開始をユーザに通知することができる。したがってユーザは視聴予約した番組の内容を忘れていたとしても、視聴予約を実行し予約された番組を見るのか、視聴予約を取り消して現在視聴している番組を見続けるか、の判断をすることなどができる。
【図面の簡単な説明】
【０００９】
【図１】実施例１のＡＶ装置による視聴予約開始の通知画面の一例を表す図
【図２】実施例１のＡＶ装置における機能ブロックの一例を表す図
【図３】実施例１のＡＶ装置の視聴予約情報取得部において視聴予約情報を取得するために利用されるＧＵＩ画面の一例を表す図
【図４】実施例１のＡＶ装置において視聴予約された番組に合わせて出力する通知用データを特定するために利用されるテーブルデータの一例を表す図
【図５】実施例１のＡＶ装置におけるハードウェア構成の一例を表す図
【図６】実施例１のＡＶ装置における処理の流れの一例を表すフローチャート
【図７】実施例２のＡＶ装置における機能ブロックの一例を表す図
【図８】実施例２のＡＶ装置の電子番組表情報取得部で取得される電子番組表情報によるＧＵＩ画面の一例を表す図
【図９】実施例２のＡＶ装置における処理の流れの一例を表すフローチャート
【発明を実施するための形態】
【００１０】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１，４，５について説明する。また、実施例２は、主に請求項２，３について説明する。
【００１１】
≪実施例１≫
<概要>
図１は、本実施例のＡＶ装置による視聴予約開始の通知画面の一例を表す図である。例えばこのＡＶ装置は、映画のテレビ放送番組が視聴予約されたうえでスタンバイ状態になっている。そして視聴予約された番組の放送開始時刻が近づくとＡＶ装置は起動するとともに、この図１（ａ）にあるように、単なるカウントダウンではなく劇場版映画の開始前に表示されるようなフィルムカウントダウンαをディスプレイ上に表示する。そして、このような映画特有のフィルムカウントダウンを見たユーザは、予約された番組の視聴が開始されることに加えて、その番組の内容が映画であることも容易に把握することができる。また、このような劇場映画の開始直前に流される画像と同様の画像を視聴予約の開始直前に表示することで、劇場映画を見るかのような楽しさを生む効果も期待できる。またその他にも、例えばニュース番組が視聴予約されたＡＶ装置にて、ユーザが別のチャンネルで野球の中継番組を視聴している。このような場合、本実施例のＡＶ装置は視聴予約された番組の放送開始時刻が近づくと、この図１（ｂ）にあるように、ニュースを示すイメージ画像βなどをディスプレイ上の子画面に出力表示し、ユーザにそのニュース番組の開始を通知するという具合である。そして、このような視聴予約開始の通知を行うことで、ユーザは予約視聴を実行しその視聴予約番組を見るのか、予約視聴を取り消して現在視聴している番組を見続けるか、の判断をすることなどができる。
【００１２】
<機能的構成>
図２は、本実施例のＡＶ装置における機能ブロックの一例を表す図である。なお、本実施例のＡＶ装置はテレビ装置を例に挙げて説明するがもちろんそれに限定されず、例えばラジオ装置やレコーダなどであってもよい。そして、以下に記載する本装置やシステムの機能ブロックは、ハードウェア及びソフトウェアの組み合わせとして実現され得る。具体的には、汎用的なコンピュータを利用するものであれば、ＣＰＵや主メモリ、バス、あるいは二次記憶装置（ハードディスクや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェース、通信用インターフェース、それらハードウェアを制御するためのドライバプログラムやその他アプリケーションプログラム、ユーザ・インターフェース用アプリケーションなどが挙げられる。そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウェアやソフトウェアを制御するための命令が生成されたりする。あるいは本装置やシステムの機能ブロックは専用ハードウェア構成によって実現されてもよい。また、この発明は装置やシステムとして実現できるのみでなく、方法としても実現可能である。また、このような発明の一部をソフトウェアとして構成することができる。さらに、そのようなソフトウェアをコンピュータに実行させるために用いるソフトウェア製品、及び同製品を固定した記録媒体も、当然にこの発明の技術的な範囲に含まれる（本明細書の全体を通じて同様である）。
【００１３】
そして、この図２にあるように、本実施例の「ＡＶ装置」（０２００）は、「視聴予約情報取得部」（０２０１）と、「通知用データ取得部」（０２０２）と、「通知出力部」（０２０３）と、を有する。
【００１４】
「視聴予約情報取得部」（０２０１）は、番組の視聴予約のための情報であって、番組ＩＤを含む情報である視聴予約情報を取得する機能を有する。また「番組ＩＤ」とは、番組または／及び番組の属性を識別するために利用されるＩＤをいう。番組を識別するＩＤとしては、例えば番組のタイトルや番組固有に付された文字数字記号列などのほか、受信チャンネル及び放送時刻などの情報が挙げられる。なお、番組ＩＤが「受信チャンネル及び放送日時」であれば、後述する通知用データとの関連付けにおいて、例えば１チャンネルの１２時はドラマであることが多いなどの統計データからドラマの通知用データが関連付けられるよう構成しても良い。また、番組の属性を識別するための「番組ＩＤ」としては、例えば、スポーツ、ニュース、映画などその番組のジャンルや、出演者、監督やディレクター、プロデューサー、あるいは制作会社や配給会社などその番組の関係者などを識別する情報が挙げられる。また視聴に際して年齢制限のある番組であれば、その制限年齢を示す情報なども挙げられる。また、予め設定された例えば上述するような分類例に該当しない番組を識別するための「その他」という番組ＩＤも挙げられる。そして本実施例のＡＶ装置においては、上記のような番組ＩＤと後述する視聴予約開始の通知用データとを関連付けて管理することを特徴とし、それによって視聴予約された番組に合せた通知用データを出力することができる。
【００１５】
そしてこの視聴予約情報取得部では、上記のような番組ＩＤに加えて、番組の視聴予約のため（視聴予約の対象となる番組を特定するため）の「受信チャンネル」及び「放送日時」などの情報を含む視聴予約情報を取得する、という具合である。またこの視聴予約情報取得部は、例えばＧＵＩや入力デバイスなどによって実現することができる。具体的には、例えば図３に示すような「受信チャンネル」及び「放送日時」、そして番組ＩＤである「タイトル」や「ジャンル」などの入力欄を画面上に表示し、入力デバイスを介してユーザがその入力欄に入力した情報を視聴予約情報として取得する、という具合である。あるいは実施例２で後述するように、電子番組表を利用して上記のような視聴予約情報を取得しても良い。
【００１６】
「通知用データ取得部」（０２０２）は、前記番組ＩＤと関連付けられた通知用データを取得するための機能を有する。また「通知用データ」とは、前記視聴予約情報で特定される番組の内容を識別可能な画像又は／及び音声を構成するための情報をいい、例えば番組のあらすじ文や説明文、タイトルロールやエンドロールなどのオープニング／エンディング映像、あるいは番組内のその他の所定シーンの映像や音声、出演者の画像、主題歌などのテーマソング、番組の固有ジングルなどが挙げられる。また番組のジャンルや年齢制限を表す識別用アイコンなどのイメージ画像や、前述のように番組が映画であればフィルムカウントダウン画像、あるいは配給会社特有のオープニング映像やテーマ音楽なども挙げられる。
【００１７】
また、番組ＩＤと関連付けられた通知用データの取得方法に関しては、例えば以下のような処理による取得方法が挙げられる。すなわち、ＨＤＤ（ハードディスクドライブ）などの記憶装置に予め通知用データを蓄積しておく。また、その通知用データのＩＤと、番組ＩＤ（あるいは番組ＩＤに紐付け／変換可能な別の識別情報）とを関連付けて管理する図４に示すようなテーブルデータも用意しておく。そして、取得した視聴予約情報に含まれる番組ＩＤをキーとして前記管理テーブルデータを検索することで、番組ＩＤに関連付けられた通知用データを特定し取得する、という具合である。また図４に示すようなテーブルデータは、予め用意されていても良いし、例えば視聴予約情報の入力をユーザから受付ける際にＧＵＩ画面上に通知用データ候補を複数提示し、ユーザに関連付けの対象となる通知用データを選択させることで生成／更新されるよう構成しても良い。あるいは前述のように番組ＩＤが「受信チャンネル及び放送日時」であれば、例えば１チャンネルの月曜１２時はドラマであることが多いなどの統計データを予め保持しておき、その統計データからドラマの通知用データが取得され関連付けられるよう構成しても良い。
【００１８】
また通知用データである画像や音声が記憶装置等に予め保持されていない場合には、以下のような処理によって通知用データを生成し取得する構成としても良い。例えば視聴予約情報に含まれる番組ＩＤを検索キーとしてインターネット検索を行う。さらに視聴予約情報の受信チャンネルから特定される放送局情報を利用して例えばドメイン名などを参照し、前記検索にヒットしたウェブページの中から番組の公式ＨＰと想定されるウェブページを抽出する。そして、その番組公式ページから例えばトップ画像や音声などを通知用データとして取得する、という具合である。また、通知用データを録画番組から生成するよう構成しても良い。例えば連続ドラマであれば、そのタイトル名などから録画装置を検索し過去に録画した同ドラマの番組データを特定する。そして特定した番組データから所定位置の画像や音声、あるいは特徴点マッチングなどでオープニング映像など所定のシーンを抽出し、その通知用データを生成する、という具合である。また、ある番組Ａの放送前に放送される例えば「番組Ａの放送開始直前の特別番組」があるか否かを例えば電子番組表などを参照して検索し、その特別番組の映像データや音声データを番組Ａ用の通知用データとして取得するよう構成しても良い。あるいは、実施例２で後述するように電子番組表から番組のあらすじや概要説明などを通知用データとして取得しても良い。
【００１９】
また、通知用データをユーザの自分撮り動画やユーザ作成の説明テキストなどとして、それを番組ＩＤと関連付けて登録することで取得する構成としても良い。具体的には、例えば視聴予約情報を取得する際に、携帯電話などのムービー撮影機能やテキスト作成機能を有する端末から、その撮影されたムービーや作成されたテキストを送信し登録するよう促すＧＵＩを表示する。そしてそれにしたがって端末から送信されたムービーやテキストを取得し、視聴予約情報に含まれる番組ＩＤと関連付ける、という具合である。そして、その撮影したムービーやテキストにおいて、自分がその視聴予約番組を見たかった理由などを口述する／記述するなどすれば、ユーザは番組の内容を把握することに加えてその番組を視聴したい理由なども容易に知ることができる。
【００２０】
また通知用データに対して、当該番組が再放送あるいはサイマル放送であることや、すでに録画済みであることを示す情報を付加するよう構成しても良い。具体的には、視聴予約情報を取得した際に、電子番組表などを参照して再放送タグの有無を検出する。あるいは電子番組表などで特定されるその番組名（さらに第○話やサブタイトルなど）を検索キーとして電子番組表内の他の番組枠や録画装置の録画済みリストを検索し、同名のものがあるか判断する。そして再放送タグが付加されていれば再放送である旨を示す情報を、また電子番組表の検索によってサイマル放送である旨判断されたらサイマル放送である旨を示す情報を、録画済リストの検索によって録画済である旨判断されたら録画済である旨を示す情報を通知用データに付加する、という具合である。あるいは、通知用データにその番組の終了時刻情報などを付加して通知しても良い。
【００２１】
以上のように、本願のＡＶ装置は視聴予約情報に含まれる番組ＩＤと通知用データを関連付けて管理する構成を有し、それによって視聴予約の開始をユーザに通知する際に、その番組の内容を識別可能な通知用データの画像や音声などを利用することができる。
【００２２】
「通知出力部」（０２０３）は、視聴予約された番組の出力である予約実行に先立って、予約実行の対象となる番組に関連付けて前記通知用データ取得部にて取得された通知用データによって構成される画像または／及び音声である通知を出力するための機能を有する。具体的には、番組ＩＤ「ニュース」の視聴予約を実行する際には、例えば図４に示すテーブルデータを参照して前述の通知用データ取得部にてニュースのイメージ画像が取得される。そして、そのニュースのイメージ画像がディスプレイ上に出力表示されるので、ユーザは視聴予約動作の対象となる番組がニュース番組であることを用意に把握することができる。あるいは、番組ＩＤ「○×配給会社（の映画番組）」の視聴予約を実行する際には、例えば図４に示すテーブルデータを参照して前述の通知用データ取得部にて○×配給会社の映画の開始前に流れるオープニング映像及び音楽が取得される。そして、そのオープニング映像及び音楽がディスプレイとスピーカから出力されるので、ユーザは視聴予約動作によって映画番組が始まることを容易に把握することが期待できる。なお、この通知出力部での通知用データの出力形態は特限定せず、例えばＡＶ装置がスタンバイ状態であり、そこから復帰して通知用の画像を出力する場合には全画面表示としても良いし、ＡＶ装置にて別の放送番組や録画コンテンツを視聴中であれば、現在の視聴の邪魔にならないよう子画面などに通知用の画像を表示すると良い。
【００２３】
また、通知用データに基づいて出力される画像について、例えば録画ボタンなどのボタン機能を付加するよう構成しても良い。このような構成により、ユーザはもうすぐ開始される番組の内容を認識したうえで、例えば現在視聴中の番組を見続けたいが視聴予約している番組も見たいと思った際などには、画面上に表示されているその通知用イメージ画像などを選択操作するだけで、その番組を視聴予約の対象から録画処理の対象に簡単に変更することができる。また、視聴予約された複数の番組の視聴時間帯が重複している場合には、同時に複数の通知用データをボタン機能を備えて出力するよう構成しても良い。具体的には、取得した複数の視聴予約情報にしたがって例えば電子番組表を参照し、演算回路による検索および演算処理によって視聴予約された各番組の放送開始時間および放送終了時間を特定して放送時間帯を算出する。そして算出された各番組の放送時間帯を比較し、演算回路がその放送時間帯が重複しているか否か判断する。そして重複している場合、すべての通知用データの画像を画面上に同時に並べるなどして表示する、という具合である。また、その同時表示された画像は選択ボタン機能や録画ボタン機能を有するよう構成することで、ユーザは画面上の複数の通知用画像を選択して、どの番組を視聴するのか、あるいは視聴せずに録画する番組はどれか、などを簡単に指定することができる。また、１つの番組枠内に例えばニュースと天気予報など複数の番組が混在していることを例えば電子番組表の情報などから判断した場合にも、同様に複数の通知用データを出力するよう構成し、さらにユーザから選択操作や録画操作などをその通知用画像にて受付ける構成としても良い。
【００２４】
あるいは、この通知用データ出力部は、例えば携帯電話や浴室インターフォンなどの外部機器に対して通知用データを出力するよう構成しても良い。具体的に、本実施例のＡＶ装置の通知用データ出力部は、出力先となる外部機器の通信用アドレス情報を保持する「外部機器アドレス保持手段」と、その通信用アドレスを宛先として無線通信で通知用データを出力する「無線通信手段」とを備えている。このようにして、例えばユーザが視聴予約の開始時刻にそのことを忘れてＡＶ装置の前に居ないとしても、その視聴予約された番組の内容を把握できる形でユーザに対する視聴予約開始の通知を行うことができる。
【００２５】
以上のような構成を備える本実施例のＡＶ装置によって、視聴予約された番組の番組ＩＤと関連付けて管理されている画像や音声を視聴予約動作の開始時に出力し、視聴予約された番組の内容が分かるような形でその視聴開始をユーザに通知することができる。したがってユーザは視聴予約した番組の内容を忘れていたとしても、視聴予約を実行し予約された番組を見るのか、視聴予約を取り消して現在視聴している番組を見続けるか、の判断をすることなどができる。
【００２６】
<その他の機能的構成>
また、本実施例は、上記のようなＡＶ装置と、外部の可搬型記憶装置やネットワーク上のサーバ装置との組み合わせからなるＡＶシステムとしても良い。そして通知用データの取得に関して、その外部の可搬型記憶装置（例えばＵＳＢ（ユニバーサル・シリアル・バス）接続のフラッシュメモリなど）やネットワーク上のサーバ装置に保持されている通知用データを取得する、という具合である。具体的に、この「可搬型記憶装置」や「サーバ装置」は、番組ＩＤと関連付けられ、前記視聴予約情報で特定される番組の内容を識別可能な画像又は／及び音声を構成するための通知用データを保持し、前記通知用データ取得部に対して通知用データを出力可能な装置である。そして、このような構成の「可搬型記憶装置」や「サーバ装置」と、上記「ＡＶ装置」とでＡＶシステムを構築し、ＡＶ装置の通知用データ取得部は、外部の「可搬型記憶装置」や「サーバ装置」から通知用データを取得する、という具合である。そして、その外部の装置に通知用データを保持することで、例えば適宜その通知用データを更新し、可搬型記憶装置であればそれを販売などすることで、様々な通知用データを選択できるようなサービスを提供することなどができる。また、本実施例のＡＶ装置は、上記通知用の画像や音声の出力機能の利用有無をこの可搬型記憶装置の接続検知有無に応じて判断するよう構成しても良い。
【００２７】
<ハードウェア構成>
図５は、上記機能的な各構成要件をハードウェアとして実現した際の、ＡＶ装置における構成の一例を表す概略図である。この図を利用して通知用データの出力処理におけるそれぞれのハードウェア構成部の働きについて説明する。この図にあるように、ＡＶ装置は、通知用データ取得部であり、またその他の各種演算処理を実行するための「ＣＰＵ（中央演算装置）」（０５０１）と、「主メモリ」（０５０２）と、を備えている。視聴予約情報取得部である「入力デバイス」（０５０３）や、通知出力部である「ディスプレイ」（０５０４）や「スピーカ」（０５０５）、そして通知用データを保持する「ＨＤＤ」（０５０６）などを備えている。そしてそれらが「システムバス」などのデータ通信経路によって相互に接続され、情報の送受信や処理を行う。また、「主メモリ」にはプログラムが読み出され、「ＣＰＵ」は読み出された当該プログラムを参照し、プログラムで示される手順に従い各種演算処理を実行する。また、この「主メモリ」や「ＨＤＤ」にはそれぞれ複数のアドレスが割り当てられており、「ＣＰＵ」の演算処理においては、そのアドレスを特定し格納されているデータにアクセスすることで、データを用いた演算処理を行うことが可能になっている。
【００２８】
ここでユーザによる「入力デバイス」の操作入力に応じて、本実施例のＡＶ装置は視聴予約の登録処理開始の操作命令を受付ける。すると、その操作命令に応じて「ＣＰＵ」は視聴予約情報取得プログラムを解釈し、その解釈結果にしたがって、例えば図３に示すような視聴予約情報の入力用ＧＵＩや、同様の機能を有する電子番組表ＧＵＩを「ディスプレイ」に出力表示する。そして、当該ＧＵＩを利用した"放送開始時刻"および"受信チャンネル"、そして"番組ＩＤ"の入力を受付けると、それらの情報を「主メモリ」のアドレス１、２、３などにそれぞれ格納する。また番組ＩＤの取得は、例えば「ＣＰＵ」の論理演算処理によって"放送開始時刻"および"受信チャンネル"を検索キーとして電子番組表を検索し、その検索にヒットした番組情報から所定の番組ＩＤ（例えば番組タイトルやジャンル情報など）を取得する処理なども挙げられる。その後、図示しない「内蔵時計」や「チューナ」にて受信する放送波に含まれる現在時刻情報と、「主メモリ」のアドレス１に格納されている放送開始時刻との比較を「ＣＰＵ」の論理演算処理によって実行する。
【００２９】
そして、現在時刻情報で示される数値が、放送開始時刻の例えば１分前を示す数値と一致したとの判断結果が出力されると、それをトリガーとして、「ＣＰＵ」は次に通知用データ取得プログラムを解釈する。そして、その解釈結果にしたがって「ＣＰＵ」は「主メモリ」のアドレス３に格納されている"番組ＩＤ"を検索キーとして「ＨＤＤ」に保持されている図４に示すようなテーブルデータを検索する。そして、その検索に合致する番組ＩＤと関連付けて管理されている通知用データ１のＩＤを取得し、「主メモリ」のアドレス４に格納する。具体的には、例えば番組ＩＤが"ニュース番組Ａ"であれば、図４に示すように"ニュース番組のイメージ画像"や"ニュース番組Ａのテーマ音楽"のＩＤが取得される。つづいて「ＣＰＵ」は通知用データ出力プログラムを解釈し、その解釈結果にしたがって取得した通知用データのＩＤで識別される通知用データ１を構成する画像データや音声データを「ＨＤＤ」から読み出し、「ディスプレイ」や「スピーカ」、および図示しないそれらの「処理回路」に対して出力する。そして例えばニュース番組の視聴予約開始１分前に、それを通知するためのニュース番組用イメージ画像が「ディスプレイ」に表示され、かつニュース番組Ａのテーマ音楽が「スピーカ」から出力される、という具合である。もちろん上記例は一例であって、例えば通知用データの取得に関してその画像データや音声データを番組ＩＤに合せて生成するなどの処理を「ＣＰＵ」や「主メモリ」、またそのためのプログラムによって実現するよう構成すると良い。
【００３０】
<処理の流れ>
図６は、本実施例のＡＶ装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。この図にあるように、まず、例えば所定のＧＵＩなどを利用してユーザ操作を受付けることなどによって、番組ＩＤを含む視聴予約情報を取得する（ステップＳ０６０１）。その後、取得した視聴予約情報に含まれる番組ＩＤと関連付けられ、前記視聴予約情報で特定される番組の内容を識別可能な画像又は／及び音声を構成するための通知用データを、例えば図４に示すテーブルデータなどを参照するなどして特定し取得する（ステップＳ０６０２）。そして視聴予約情報で特定される番組の視聴開始時刻が近づいたか、例えばその時刻の一分前などを判断する（ステップＳ０６０３）と、その視聴予約された番組の出力である予約実行に先立って、前記通知用データ取得部にて取得された通知用データによって構成される画像または／及び音声をディスプレイやスピーカに出力する（ステップＳ０６０４）。
【００３１】
<効果の簡単な説明>
以上のように本実施例のＡＶ装置によって、視聴予約された番組の番組ＩＤと関連付けて管理されている画像や音声を視聴予約動作の開始時などに出力し、視聴予約された番組の内容が分かるような形でその視聴開始をユーザに通知することができる。したがってユーザは視聴予約した番組の内容を忘れていたとしても、視聴予約を実行しその予約された番組を見るのか、視聴予約を取り消して現在視聴している番組を見続けるか、の判断をすることなどができる。
【００３２】
≪実施例２≫
<概要>
本実施例は、上記実施例を基本として、例えば電子番組表を利用して視聴予約された番組のあらすじや概要説明などを取得し、それを通知用データとして出力する機能を備えることを特徴とするＡＶ装置である。また本実施例のＡＶ装置は、視聴予約情報の受付を同じく電子番組表を利用して行い、その視聴予約された番組の番組ＩＤの取得を電子番組表の情報から抽出する機能をさらに備えていても良い。
【００３３】
<機能的構成>  図７は、本実施例の「ＡＶ装置」（０７００）は、上記実施例を基本として「視聴予約情報取得部」（０７０１）と、「通知用データ取得部」（０７０２）と、「通知出力部」（０７０３）と、を有する。また、図示しない「可搬型記憶装置」や「サーバ装置」と組み合わされて「ＡＶシステム」として構成されていても良い。なお、これらの構成要件については、上記実施例にて既に記載済みであるのでその詳細な説明は省略する。そして本実施例のＡＶ装置の特徴点は、「電子番組表情報取得部」（０７０４）をさらに有する点と、通知用データ取得部（０７０２）が「第一電子番組表情報取得手段」（０７０５）をさらに有する点である。
【００３４】
「電子番組表情報取得部」（０７０４）は、電子番組表情報を取得する機能を有し、例えばインターネットを介して提供されている電子番組表情報を取得する構成や、放送波に含まれる電子番組表情報を抽出する構成などによって実現することができる。また「電子番組表情報」とは、例えば図８に示すような画像などで構成されるＧＵＩであり、各番組枠には、例えば「受信チャンネル」や「放送開始時刻（および放送終了時刻）」、また「番組名」、「番組ジャンル」、「出演者」、「あらすじ」、「番組概要」などの情報が関連付けられていることを特徴とする。したがって、ユーザはこの電子番組表の所望の番組枠を指定することで「受信チャンネル」や「放送開始時刻」を簡単に入力して視聴予約を行うことができる。
【００３５】
「第一電子番組表情報取得手段」（０７０５）は、通知用データを、前記取得した電子番組表情報から取得する機能を有する。すなわち、前述の通り視聴予約のためにユーザ操作で指定される番組枠には「あらすじ」、「番組概要」などの情報が関連付けられている。したがって視聴予約情報の取得に際して、例えば「あらすじ」や「番組概要」などの説明文を取得し通知用データとして利用する、という具合である。なお、ここで取得した「あらすじ」などに加え、上記実施例で説明したイメージ画像やその他画像、音声をまとめて通知用データとして出力しても良い。
【００３６】
また、本実施例のＡＶ装置の視聴予約情報取得部（０７０１）は、図示しない「第二電子番組表情報取得手段」をさらに有していても良い。この「第二電子番組表情報取得手段」は、前記番組または／及び番組の属性を識別するために利用される番組ＩＤを、前記取得した電子番組表情報から取得する機能を有する。すなわち、前述の通り視聴予約のためにユーザ操作で指定される番組枠には、「受信チャンネル」や「放送開始時刻」、「番組名」、その他タグ（「番組ジャンル」や「出演者」などの情報）が関連付けられている。したがって視聴予約情報の取得に際して、例えば、「受信チャンネル」や「放送開始時刻」、あるいは「番組名」、「番組ジャンル」、「出演者」などの情報を番組ＩＤとして利用する、という具合である。
【００３７】
以上のように、本実施例のＡＶ装置やＡＶシステムによって、電子番組表を利用して簡単に通知用データの取得や番組ＩＤを含む視聴予約情報の取得を行うことができる。
【００３８】
<処理の流れ>
図９は、本実施例のＡＶ装置における処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。この図にあるように、まず、電子番組表情報を、例えばインターネットを介して、あるいは放送波から抽出することなどによって取得する（ステップＳ０９０１）。そして、その電子番組表情報を介したユーザ操作を受付けることなどによって、番組ＩＤを含む視聴予約情報を取得する（ステップＳ０９０２）。その後、前記番組ＩＤと関連付けられた通知用データとして、電子番組表から例えばあらすじなどを取得する（ステップＳ０９０３）。そして視聴予約情報で特定される番組の視聴開始時刻が近づく（ステップＳ０９０４）と、その視聴予約された番組の出力である予約実行に先立って、前記取得された通知用データによって構成される例えばあらすじなどをディスプレイなどに出力する（ステップＳ０９０５）。
【００３９】
<効果の簡単な説明>
以上のように本実施例のＡＶ装置によって、電子番組表を利用して簡単に通知用データの取得や番組ＩＤを含む視聴予約情報の取得を行うことができる。
【符号の説明】
【００４０】
０２００  ＡＶ装置
０２０１  視聴予約情報取得部
０２０２  通知用データ取得部
０２０３  通知出力部
【図１】
2011103525.tif 000003
【図２】
2011103525.tif 000004
【図３】
2011103525.tif 000005
【図４】
2011103525.tif 000006
【図５】
2011103525.tif 000007
【図６】
2011103525.tif 000008
【図７】
2011103525.tif 000009
【図８】
2011103525.tif 000010
【図９】
2011103525.tif 000011